(57)【特許請求の範囲】
【請求項１】
電線をハウジング内に挿入することで速結端子に接続されるとともに、前記速結端子の鎖錠部を押圧して電線を解除するための解除ボタンを前記ハウジングに設け、基板に直付けされる速結端子台であって、前記解除ボタンは、前記基板に直付けする面に対して交差する方向に移動自在に配置され、前記解除ボタンの周辺の一方に対応する前記ハウジングの部分に突出した段部を形成し、前記解除ボタンの押し込み操作によって、前記解除ボタンの高さが、前記段部より低い位置で、前記電線を解除するように前記速結端子の鎖錠部の変形が開始するとともに、前記解除ボタンの高さが、前記段部以外の周辺の面の高さとほぼ同じになるまでに、前記電線結線状態が解除されることを特徴とする速結端子台。
【請求項２】
解除ボタンの押し込み操作する部分は錘状である請求項１記載の速結端子台。
【請求項３】
解除ボタンは摺動する側面に溝を有し、ハウジングは前記溝に嵌合するリブを有する請求項１記載の速結端子台。
【請求項４】
請求項１，２または３記載の速結端子台を直付けしたことを特徴とするプリント基板。
【発明の詳細な説明】
【０００１】
【発明の属する技術分野】
この発明は、主に電線接続を目的とした速結端子台およびプリント基板に関するものである。
【０００２】
【従来の技術】
従来の速結端子台として、例えば特開平８−２３６１７４に示す開示技術がある。この場合、電気端子が、絶縁体からなる操作押付け器（ボタン）によって操作可能であり、この操作押付け器が、絶縁体ハウジングにおけるガイド通路内に挿入されるとともに、障害なく操作されるようにしている。また、別の従来例として実願平８−１１５４０がある。
【０００３】
【発明が解決しようとする課題】
しかしながら、電線挿入状態でボタン高さが周辺ハウジングと同等またはそれ以下となっているため、解除操作時に周辺ハウジングの高さ以下までボタンを押し込む必要があり操作し難いという問題がある。
【０００４】
また、電線挿入状態でボタン高さが周辺ハウジングよりも高い位置の場合、誤操作または不慮の外力によってボタンが押され、電線が解除されて接続不安定状態を起こす危険がある。
【０００５】
したがって、この発明の目的は、電線解除時に容易に操作できるとともに、不意に電線が解除されることがない速結端子台およびプリント基板を提供することである。
【０００６】
【課題を解決するための手段】
上記課題を解決するためにこの発明の請求項１記載の速結端子台は、電線をハウジング内に挿入することで速結端子に接続されるとともに、前記速結端子の鎖錠部を押圧して電線を解除するための解除ボタンを前記ハウジングに設け、基板に直付けされる速結端子台であって、前記解除ボタンは、前記基板に直付けする面に対して交差する方向に移動自在に配置され、前記解除ボタンの周辺の一方に対応する前記ハウジングの部分に突出した段部を形成し、前記解除ボタンの押し込み操作によって、前記解除ボタンの高さが、前記段部より低い位置で、前記電線を解除するように前記速結端子の鎖錠部の変形が開始するとともに、前記解除ボタンの高さが、前記段部以外の周辺の面の高さとほぼ同じになるまでに、前記電線結線状態が解除される。
【０００７】
このように、解除ボタンは、基板に直付けする面に対して交差する方向に移動自在に配置され、解除ボタンの周辺の一方に対応するハウジングの部分に突出した段部を形成し、解除ボタンの押し込み操作によって、解除ボタンの高さが、段部より低い位置で、電線を解除するように速結端子の鎖錠部の変形が開始するとともに、解除ボタンの高さが、段部以外の周辺の面の高さとほぼ同じになるまでに、電線結線状態が解除されるので、通常の解除ボタンの高さは段部の高さと同じため、誤って押されることを防止できる。電線解除時には、段部以外の周辺の空間を利用することで解除ボタンを押し込む操作が容易にできる。また、電線解除時の解除ボタンの高さは、段部以外の周辺と同じ高さのため、それ以上押し込まれることがなく、速結端子を過変形させない。また、解除ボタンが段部より突出していて押されたとしても、解除ボタンの高さが段部の高さより高い位置では結線は解除されない。このため、電線接続が安定した状態となる。
【０００９】
請求項２記載の速結端子台は、請求項１記載の速結端子台において、解除ボタンの押し込み操作する部分は錘状である。このように、解除ボタンの押し込み操作する部分は錘状であるので、先の細い小型のドライバーなどでは解除ボタンを押し難い。このため、指または先端の大きなものでないと押せないので、押し込み過ぎを防止できる。
【００１０】
請求項３記載の速結端子台は、請求項１記載の速結端子台において、解除ボタンは摺動する側面に溝を有し、ハウジングは前記溝に嵌合するリブを有する。このように、解除ボタンは摺動する側面に溝を有し、ハウジングは溝に嵌合するリブを有するので、小型のドライバーなどで解除ボタンが押されても、ドライバーがリブに当たることで押し込み過ぎを防止できる。
請求項４記載のプリント基板は、請求項１，２または３記載の速結端子台を直付けした。
【００１１】
【発明の実施の形態】
この発明の第１の実施の形態を図１ないし図３に基づいて説明する。図１はこの発明の第１の実施の形態の速結端子台の斜視図、図２はこの発明の実施の形態の電線結線状態の断面図である。
【００１２】
図１および図２に示すように、この速結端子台は、電線１をハウジング２内に挿入することで速結端子３に接続されるとともに、速結端子３の鎖錠部３ａを押圧して電線１を解除するための解除ボタン４をハウジング２に設け、プリント基板などの基板に直付けされる。
【００１３】
ハウジング２は、ハウジングカバー７と、接続する電線１の本数に応じて備えられる複数のハウジングボディ６とからなる。ハウジングカバー７とハウジングボディ６、あるいはハウジングボディ６，６どうしは、相互に係合する係合爪８と凹部９により連結される。ハウジングボディ６には電線挿入穴１０が設けられ、この電線挿入穴１０に臨む内部空間１１に速結端子３が収納される。速結端子３は、電線挿入穴１０の方を向いた一端と、反対側を向くように屈曲させた他端の鎖錠部３ａとで電線１を挟着した状態で接続可能である。また、速結端子３と導通し基板に接続されるリード１２（半田端子）がハウジング２の下面から突設してある。
【００１４】
解除ボタン４は、斜線部分で示すようにプリント基板に直付けする面に対して交差する方向に移動自在に配置されている。この解除ボタン４はハウジングボディ６に設けた穴部１５に進退自在に挿入される。挿入状態で解除ボタン４の下端に速結端子３の鎖錠部３ａが当接し、解除ボタン４の押し込み操作により鎖錠部３ａを押圧して電線結線状態から電線解除状態にすることができる。また、解除ボタン４の抜けを防止するためにハウジングボディ６の内部の部分６ａに係止するストッパ部１４が設けてある。Ｓは解除ボタン４のストロークを示す。
【００１５】
また、解除ボタン４の周辺の一部に対応するハウジング２の部分に突出した段部５を形成し、通常、段部５と解除ボタン４の上面を同じ高さにしている。解除ボタン４の押し込み操作によって解除ボタン４の高さが、段部５以外の周辺の面である設置面１３の高さとほぼ同じになるまでに、結線が解除される。すなわち、図３はこの発明の実施の形態の電線解除状態の断面図である。
【００１６】
図３に示すように、解除ボタン４に押されて速結端子３の鎖錠部３ａが変形して電線解除状態となる。この場合、図２の電線結線状態で、段部５と解除ボタン４の上面が面一となるようにストッパ部１４により位置決めされるとともに、解除ボタン４の下端が鎖錠部３ａに当接している。そのため解除ボタン４が押し込み操作されて、解除ボタン４の高さが、段部５と同じ高さより低くなった時に、電線１の解除操作が開始する。その後の図３の電線解除状態で、設置面１３と解除ボタン４の上面が面一となり、解除ボタン４を押し込み操作する工具、指などが設置面１３に当たることで、解除ボタン４は設置面１３よりは深く押されないため、鎖錠部３ａが過変形し破壊することを防止している。なお、図３では設置面１３と解除ボタン４の上面が面一となったとき、解除ボタン４がハウジングボディ６の内部の部分６ｂに当接しているのでそれ以上は押されない。
【００１７】
以上のようにこの実施の形態によれば、通常の解除ボタン４の高さは段部５の高さと同じため、誤って押されることを防止できる。電線解除時には、段部５以外の周辺の空間を利用することで解除ボタン４を押し込む操作が容易にできる。また、電線解除時の解除ボタン４の高さは、段部５以外の周辺である設置面１３と同じ高さのため、それ以上押し込まれることがなく、速結端子３を過変形させない。
【００１８】
また、ストッパ部１４がなく解除ボタン４が段部５より突出していて押されたとしても、解除ボタン４の高さが段部５の高さより高い位置では結線は解除されないため、電線接続が安定した状態となる。
【００１９】
この発明の第２の実施の形態を図４および図５に基づいて説明する。図４はこの発明の第２の実施の形態の速結端子台の斜視図、図５はその電線解除状態の要部斜視図である。
【００２０】
この実施の形態では、解除ボタンの構成が異なる。図４および図５に示すように、解除ボタン２０は摺動する側面に溝１８を有し、ハウジング２は溝１８に嵌合するリブ１９を有する。この場合、解除ボタン２０の対向する側面に溝１８を設けることで解除ボタン２０を断面略Ｈ形にしている。
【００２１】
これにより、小型のドライバーなどで解除ボタン２０が押されても、ドライバーがリブ１９に当たることで穴部１５に入らず、押し込み過ぎを防止できる。なお、解除ボタン２０の一側面に溝１８を設けることで解除ボタン２０を断面略コ字形にするなど他の形状にしてもよい。その他の構成効果は、第１の実施の形態と同様である。
【００２２】
この発明の第３の実施の形態を図６に基づいて説明する。図６はこの発明の第３の実施の形態の速結端子台の斜視図である。
【００２３】
この実施の形態でも、解除ボタンの構成が異なる。図６に示すように、解除ボタン２１の押し込み操作する部分（操作部）２２は錘状である。この操作部２２は、通常、設置面１３より突出している部分であり、この場合は四角錐にしてある。
【００２４】
これにより、先の細い小型のドライバーなどでは解除ボタン２１を押し難い。このため、指または先端の大きなものでないと押せないので、押し込み過ぎを防止できる。なお、操作部２２は円錐、三角錐などでもよい。その他の構成効果は、第１の実施の形態と同様である。
【００２５】
【発明の効果】
この発明の請求項１記載の速結端子台によれば、解除ボタンは、基板に直付けする面に対して交差する方向に移動自在に配置され、解除ボタンの周辺の一方に対応するハウジングの部分に突出した段部を形成し、解除ボタンの押し込み操作によって、解除ボタンの高さが、段部より低い位置で、電線を解除するように速結端子の鎖錠部の変形が開始するとともに、解除ボタンの高さが、段部以外の周辺の面の高さとほぼ同じになるまでに、電線結線状態が解除されるので、通常の解除ボタンの高さは段部の高さと同じため、誤って押されることを防止できる。電線解除時には、段部以外の周辺の空間を利用することで解除ボタンを押し込む操作が容易にできる。また、電線解除時の解除ボタンの高さは、段部以外の周辺と同じ高さのため、それ以上押し込まれることがなく、速結端子を過変形させない。また、解除ボタンが段部より突出していて押されたとしても、解除ボタンの高さが段部の高さより高い位置では結線は解除されない。このため、電線接続が安定した状態となる。
【００２７】
請求項２では、解除ボタンの押し込み操作する部分は錘状であるので、先の細い小型のドライバーなどでは解除ボタンを押し難い。このため、指または先端の大きなものでないと押せないので、押し込み過ぎを防止できる。
【００２８】
請求項３では、解除ボタンは摺動する側面に溝を有し、ハウジングは溝に嵌合するリブを有するので、小型のドライバーなどで解除ボタンが押されても、ドライバーがリブに当たることで押し込み過ぎを防止できる。
請求項４記載のプリント基板によれば、請求項１，２または３記載の速結端子台を直付けしたので、プリント基板において上記効果が得られる。
【図面の簡単な説明】
【図１】この発明の第１の実施の形態の速結端子台の斜視図である。
【図２】この発明の実施の形態の電線結線状態の断面図である。
【図３】この発明の実施の形態の電線解除状態の断面図である。
【図４】この発明の第２の実施の形態の速結端子台の斜視図である。
【図５】この発明の第２の実施の形態の電線解除状態の要部斜視図である。
【図６】この発明の第３の実施の形態の速結端子台の斜視図である。
【符号の説明】
１  電線
２  ハウジング
３  速結端子
３ａ  鎖錠部
４  解除ボタン
５  段部
１０  電線挿入穴
１３  設置面
１８  溝
１９  リブ
２０，２１  解除ボタン
２２  操作部
【図１】
0003798977.tif 000002
【図２】
0003798977.tif 000003
【図３】
0003798977.tif 000004
【図４】
0003798977.tif 000005
【図５】
0003798977.tif 000006
【図６】
0003798977.tif 000007